(57)【特許請求の範囲】
【請求項１】
２つの支持面（8、9、48、49、58、59）を有する第１の保持手段（1、21、31、41、51、64）と、突起部(5)を有する第２の保持手段（2、21、31、41、51、64)とを有し、第１の保持手段と第２の保持手段との間には第１の保持手段と第２の保持手段との間に挿入された紙のシート(3)を収容するための上向きに開口した頂部と底部とを有する空間(13、13A、13B、13C、53、63)が区画されており、横から見た場合に、突起部(5)と支持区域(8、9、48、49、58、59)は互いに部分的に重なり合っていて、紙のシート(3)を第１の保持手段と第２の保持手段と間に挿入した時に、紙のシート(3)に第1の湾曲形状が付与される、紙のシート(3)を保持して容易に見るためのシート保持具において、
上記空間は頂部が底部より広く、頂部から底部へ向かって次第に狭くなり、上記突起部および支持面は後方に傾いているが、上記突起部の傾きは上記支持面の傾きより大きく、挿入後の紙のシート(3)の傾きが45〜85°であり、挿入した紙のシートに上方隅部へ向かう２本の力線（７）ができて紙のシートに剛性が与えられることを特徴とするシート保持具。
【請求項２】
第１の保持手段（1）が後方に向かって傾斜した凹面（14）を有し、第２の保持手段(2)が上記凹面（14）と対向した凸面（15）を有する請求項1に記載のシート保持具。
【請求項３】
上記凹面（14）がさらに凹部(4)を有する請求項２に記載のシート保持具。
【請求項４】
第１の保持手段（1）の支持面（8、9）が平面で、この平面と上記空間（13）の低部とが、頂点が後方を向いた90〜160°の角度を成す請求項１〜３のいずれか一項に記載のシート保持具。
【請求項５】
第１の保持手段（１）の支持面（58、59）が２つの峰（51）で構成され、上記突起部（5）が一つの峰（52）で構成され、側面図で見た時に、突起部（5）の基部（55）は上記２つの峰（51）の間に挿入されて、突起部(5)を頂点とした３つの峰（51、52）が成す開放角が90〜160°を成す請求項３に記載のシート保持具。
【請求項６】
第１の保持手段（41，51）が一つの材料で作くられており、支持面（48、49）の間に少なくとも部分的に上記材料が無い部分がある請求項1に記載のシート保持具。
【請求項７】
第１の保持手段（31）の底部が、レバー（ll）と一体な軸（10）に取付けられ、上記レバー（ll）はバネ（12）を介して第２の保持手段（32）に支持され、上記レバー（11）を押した時に第１の保持手段（31）を第２の保持手段（32）から離れて紙のシートの挿入が容易になる請求項1に記載のシート保持具。
【請求項８】
複数の紙のシートを各々独立して保持するためのシート保持具であって、各々紙のシートが請求項1〜７のいずれか一項に記載の各シート保持具によって支持され、各シート保持具が互いに空間的に離れて配置されていることを特徴とするシート保持具。
【発明の詳細な説明】
本発明は、紙のシートをほぼ垂直に保持して簡単に読めるようにするための用具に関するものである。
資料を垂直に保持するためのコピーホルダーとしては種々のものが用いられている。例えば斜めに傾けたトレーで作られたコピーホルダーある。このコピーホルダーではトレーの上部にグリッパーを設けて紙を保持する。トレー自体は湾曲アーム、架台で保持するか、基部の上に置くようになっている。こののコピーホルダーは一般に高価で、大抵は場所をくい、ディスクやコンピューターのモニター等の固定物に固定されるようになっている。
紙の上部をグリップするグリッパーもある。このグリッパーでは資料は空間内で自由に吊り下げられた状態になる。このグリッパーは固定された垂直ブラケットの一定高さの所に固定する必要がある。一般には両面接着テープか吸盤を用いてコンピューターのモニター上部に固定される。しかし、固定ブラケットが存在するためグリッパーの使い勝手が制限され、紙が空間内で自由に前後するため内容を読むのに苦労する。
米国特許第4,075,773号には紙シートを垂直に保持できる器具が記載されている。この器具は２つの支持部を有する第１保持手段を構成する２つの円錐状部材と、突起を有する第１保持手段とで構成される。これら第１および第２の保持手段を構成する２つの円錐状部材は基部の上に垂直に取付けられ、両者の間には紙シートを挿入する上向きに開口した空間が設けられている。この器具の実施例では円錐状部材の代りに円錐台形の部材を用い、その大きい方の底辺を基部の方に向けている。
この米国特許第4,075,773号では、紙を折り曲げないでそのまま垂直に挿入するが、第１および第２の保持手段は部分的または相互に重なりあっているので、挿入された紙にはなだらかな曲線が付く。しかし、このホルダーで紙を斜めに保持することはできない。
本発明の目的はこの欠点を無くして、紙をセットする時に、紙を簡単且つ迅速にハンドリングできるようにする方法を提供することにある。
本発明の上記目的は請求項１に記載の器具で達成される。
本発明器具は机の上や、積み上げた本やファイル等の上のようなほぼ平らな表面上に自由に置くためのものである。この意味で、本発明器具は移動自在な器具である。さらに、本発明器具はその設置によって専有される面積および重量と紙を安定な位置に傾斜、保持することを適当にバランスさせて小型のシステムにすることができる。
第１および第２の保持手段は、第１の保持手段が紙の背面を保持する背面支持手段となり、第２の保持手段が紙の正面を保持する正面支持手段となるような形状をしている。
本発明のいくつかの実施例では、第１の保持手段が後部を構成し、第２の保持手段が前部を構成する。
本発明器具では、紙に予め折り目を付けないで、第１の保持手段と第２の保持手段の間に紙を挿入する。従って、第１の保持手段と第２の保持手段の間に挿入した紙は平らなままである。すなわち、本発明器具は、引き抜いた後にシートに折り目が残るような程度まで紙を変形させるものではないので、第１の保持手段と第２の保持手段の間に紙を何度でも挿入でき、その度に縦方向に折られ湾曲をする。この湾曲によって紙の上側隅部へ向かって延びる2本の力線ができ、この力線によって紙が延ばされ、紙を第１の保持手段と第２の保持手段の間に挿入している限り、紙に機械的且つ永久的な剛性が与えられ、紙はほぼ垂直な位置に安定に保持される。
本発明では紙をその下端のわずかな高さの所を把持するのが好ましい。
本発明器具は一枚または複数枚の紙のシートを保持するためのものであるが、他の任意の材料のシート、本発明器具で保持している間弾性変形可能な例えば厚さの異なる紙、厚紙、合成材料に適用しても本発明の範囲を逸脱するものではない。さらに、本発明は上側に角度部を有する四角な紙に限定されるものではなく、他の任意の形状の紙、例えば楕円形、円形の紙も使用できる。
本発明は下記の特徴を個別に有するか、技術的に可能な組み合わせで有することができる。
1）第１の保持手段と第２の保持手段との間にシートを収容する空間を有し、この空間の開口度はシートの挿入方向に沿って狭くなっている。
横から見た場合、本発明の第１の保持手段すなわち、後部と、第２の保持手段すなわち前部との間は、紙の挿入を容易にするためにに、その上部位置で約５〜15ｍｍ離れている。この空間は底に向かって狭くなっており、底での開口度は約０．２〜３ｍｍである。この開口度とは第１の保持手段と第２の保持手段を横から見た時の対応する高さでのこれら手段の間の空間の幅として測定される。この減少度はほぼ直線にするか、始めが大きくし、空間の最大部分で相対的に小さなるようにすることができる。
2）第１の保持手段が後方に向かってわずかに傾斜した凹面と２つの支持区域とを有し、第２の保持手段が凹面と対向した凸面と第１の保持手段と第２の保持手段と間に収容れれたシートの一部に力を加える突起とを有する
3）凹面は第２の保持手段の材料が後退した凹部を有する。
4）第１の保持手段が基本的に支持面のみを有し、第１の保持手段の支持面の間の一部には少なくとも部分的に材料がない。
この構造は第１の保持手段の２つの実施例に関するもので、一つはループまたはクレードルであり、他は互いに離れた棒である。
5）後部の左右側部が平らな面で構成され、空間の低部でこれらの面が成す角度は90〜160°、好ましくは140°であり、その頂点はが後方を向いている。
６）後部の左右側部の支持区域が峰で構成され、突起部が空間の底で挿入され、突起を頂点としてこれら3つの要素の間に形成される開放角が90〜160°、好ましくは140°である。
７）後部の支持区域が水平面に対して頃斜しており、その傾斜角度は45〜85°、好ましくは６５°であり、シートの面が使用者の観察軸線に対してほぼ直角になる。
８）第１の保持手段および第２の保持手段、本発明の特殊実施例では後部および前部は、シートの挿入が容易にするために、上部エッジの高さの所で互いに約５〜１５ｍｍ、好ましくは１０ｍｍ離れている。
９）第１の保持手段すなわち後部の左右側部の支持区域が平らな面で構成され、これらの面が第２の保持手段すなわち前部に対向する場合は、これら２つの部分の間の距離は０．２〜３ｍｍ、好ましくは0.8ｍｍである。
10）後部が枢着軸に取付けることができ、この枢着軸は第２の保持手段に対向した支持手段を有する駆動部材と一体になっており、この駆動部材を駆動した時に第２の保持手段から第１の保持手段を離して、シートの挿入を容易にする。
11）前部に対して後部を位置決め手段が、前部に対する後部の位置へ自動的に戻し、グリップ効果で後部を前部の近くに位置決めするバネである。
12）第１および第２の保持手段以外に少なくとも第３および第４の保持手段を有し、第１および第２の保持手段で第１のシートを保持し、第３および第４の保持手段で第１のシートから離れた少なくとも第２のシートを湾曲して、それに剛性を与える。
この構造の本発明器具は複数の保持手段を有し、各手段は対になって配列され、第１と第２の保持手段が第１の対を構成し、第３と第４の保持手段が第２の対を構成し、これを繰り替えすことができる。この構造では複数のシートを互いに前後に離して配置することができる。また、この整列構造の他に、対になった保持手段を横方向に互いにオフセットさせるか、例えば後部から前部に向かって高さ方向でオフセットして高さを低くするにこともできる。
本発明の上記以外の特徴および利点は添付図面を参照した以下の実施例の説明からより明瞭になろう。
図１は本発明の第１実施例の斜視図。
図２は図１の器具を左から見た図。
図３は図１の器具のＡＡ線による断面図。
図４は図１の器具を展開したときの正面図と背面図。
図５は本発明の第２実施例の斜視図。
図６は本発明の第３実施例の斜視図。
図７は図６の器具のＢＢ線による断面図。
図８は図６の器具に紙を挟んだ状態の斜視図。
図９は本発明の第４実施例の斜視図。
図10は図９の器具を横から見た図。
図11は軽量化した本発明実施例の斜視図。
図12は図11の器具を横から見た図。
図13は複数の紙を空間的に離すための本発明実施例の斜視図。
図14は図13の器具を横から見た図。
図15は図６の器具の変形例を示す図。
図１〜４に示す実施例の器具は後部１と前部２とからなり、これらの間には紙シート３を収容するための空間13が規定されている。後部１はわずかに傾斜している。後部１はその対称軸線に沿って凹部４を有している。この凹部４は後部１中に後退した区域で作られ、この凹部１中に前部２の突起要素５が挿入される。凹部４の両側には支持面８、９がある。使用者がシート３を２つの部分１，２の間に挿入すると、前部２の突起要素５がシート３を後部１の凹部４中に押し込む。その結果，シート３には折り目または湾曲部６ができ、シート３の上部コーナーに向かって延びた力線７ができる。このその結果生じるシート３の剛性によってシード３は固定状態に維持できる。
図１〜４に示す実施例では、後部１は凹面１５を有している。この凹面１５は平らな表面16，17からなる後部１の右側支持面８と左側支持面９とで構成される。２つの平らな表面16，17が成す開口角がシート３の保持角度になる。この開口角は後部１の方を向き，その角度は90〜160°であり，特にシート３の底部を十分に保持６し、しかも、使用者が紙を見た時に気になる折れ目ができないようにするには140°にするのが適している。
左右の側面８、９は後方に向かってわずかに傾斜していて、本発明器具に紙を挿入した時に使用者がシート３を容易に読むことができるようにするために、使用者の目に対して紙がほぼ直角になるようになっている。シート３に対する使用時の平均高さを考慮にら入れると、上記傾斜角度は45〜85°にできる。一般には、この角度は65°が適している。
図１〜４に示すように、本発明器具は第１と第２の保持具を構成する前部２と後部１の２つの部材からなり、前部２は後部１に例えば接着される。
変形例では、本発明器具を単一材料からなる単一ブロックにするか、下向きに開口した少なくとも一つのシェルで作り、図１〜４の器具と同じ空間をシェルの内部に区画することができる。後者の場合にはシェルの内部の少なくとも一部に重量のある材料、例えば小さな金属の粒状材料を充填し、板で閉じる。
シート３を収容するために前部２と後部１との間に形成される空間13の上部での開口度ａはその底での開口度に比べて広い。すなわち、空間13の上部の開口度ａ１は５〜15ｍｍで、低部に向かって狭まっており、この器具の前方から後方に分かってＡＡ断面に沿って見た場合，ロートのような形をしていて、紙が容易に挿入できるようになっている。紙は凹部４と突起要素５のある器具の低部に向かって表面14、１５上を案内される。
前部２および後部１の凹部４の両側に設けられた平らな面は、空間13の底部の所で一定距離だけ互いに離れている。この距離は0.2〜３ｍｍであり、通常の紙（80ｇ）を１〜5枚簡単に挿入できるようにするには0.8ｍｍで十分である。この場合には突起要素５を尾根状にしても、シートに著しい折り目は残らない。
図５に示す実施例では、後部がプレート31からなり、前部が基板33に結合されたプレート32からなる。プレート31は後部の低部にある軸10に枢着されている。この軸10は器具の下面に平行で且つ平面８、９が成す角度の二等分線に直角に延びている。プレート31は、紙の挿入が容易に行われるようにするために、使用者がレバー11を押した時にプレート32からトグル作用で離れるように、レバー11に結合されている。使用者がレバー11を押している間は、プレート31とプレート3２との間に図１〜４の器具の空間13に対応する空間が形成される。バネ12は十分な力でプレート31をプレート32に向かって押圧して紙に前部と後部の形を付ける。
本発明器具を軽量な材料（プラスチック）で作る場合には器具の下側に着脱自在なアタッチメント、例えば両面接着テープを付けるか、カウンターウエイトを付ける。
図６〜８に示す実施例では、第１の保持手段を基部43に結合された円弧または楕円の一部を成すアーク状の要素41で作る。この要素41の両端が図１の実施例の支持区域８、９に対応する支持区域48、49を構成する。第２の保持手段は図１の突起要素５と同じ機能を有する突起部45を有する舌部42からなる。この舌部42の下端は基部43に連結している。
要素41の各支持区域48、49は所定の平面内にあるが、舌部42は湾曲して、突起部45になっている。要素41の内側は材料の無い区域44になっている。この区域44は図１の実施例の凹部４と同じ役目をする。このようにして形成された要素14と舌部42とがシートを挿入するためのロートの役目をするとともに、シート３を安定に保持するのに必要な支持・突起区域を構成する。図７は図６のＢＢ線による断面を示し、図８は本発明器具にシート３を挿入した状態を示す。
図15に示す変形例では要素41と舌部４２とが枢着部46を介して基部43に連結されている。
図９〜10図に示す実施例では、後部の支持面が峰（ridges）51で与えられ、一つの峰52からなる突起部はその基部55の所で上記峰51の間に挿入されている。これら3つの要素の間に開放角が形成され、この開放角は開放角の頂点（突起部５の基部にある）が90〜160°となるような深さを有している。この開放角は140°が適している。
峰51、52は図１の実施例の支持面８、９に対応する機能を支持面58、59が有し、図１の実施例の突起５に対応する機能を上記基部55が有し、しかも、シートの挿入および保持を容易にするような形状をし且つ傾斜している。
図10は本発明の全ての実施例の器具に共通な利点を峰51、52の配置で示したものである。すなわち、第１の保持手段の支持区域および第２の保持手段の突起部を表す手段が、図示した側面図で、互いに部分的に重なった高さ部分ｈがある。この交差区域の高さｈ約２ｃｍであり、この高さはシートに所望の剛性を与えるのに十分な湾曲度でシートを保持するのに十分な高さである。
図11〜12図に示す本発明の実施例はシートの形状を気にする点で前記の実施例とは相違している。この場合のシートはほぼ四角であり、側面から見た時に湾曲する。この器具は空間63を介して互いに分離された第1の部分61と、第２の部分62とで構成される。空間63内では要素64が第１の部分61に連結し、要素65が第２の部分62に連結し、これら２つの要素は空間63の底部63で互いに結合されている。２つの要素64、65は各支持区域と、突起部と、シートを収容する空間とを構成するように折り曲げられ、湾曲している。この空間は下向きに収束したロートの形をしている。この器具は全体として図１の実施例の基本的部分を有し、要素64、65がその機能を果たしている。
図11〜12図に示す実施例は合成材料、例えばＡＢＳ（アクリロニトリル−ブタジエン−スチレン）樹脂で作ることができる。従って、この器具は例えば射出成形で簡単に作ることができる。図１の実施例の器具に匹敵する安定性を与えるためには、本発明器具を支持する面積を十分に広くして、所定寸法および重量のシートの重心がこの器具で覆われる面積の外側にこないようにする。
図１の器具の寸法は高さが４ｃｍ、深さが６ｃｍ、幅が５ｃｍであり、内部に玉を充填してその重量は110〜120ｇである。これに対して図11の器具の寸法は高さと深さが５ｃｍ、長さが12ｃｍで、その重量は25ｇである
図13、14に示す実施例は、楕円形のボデーを有する本発明器具である。この器具は後部21と、２つのの中間部27、28と、前部26とをこの順番で有し、各部分は隣の部分からシートを挿入する空間13Ａ、13Ｂ、13Ｃを介して互いに分離されている。空間13Ａ、13Ｂ、13Ｃは複数のシートが上下にずれて、それらを同時に見ることができるようにするために、高さの違う位置に形成されている。
この実施例の後部21および前部26は図１の実施例の後部１および前部２に対応し、中間部27、28は前部および後部の各機能を満たすような形状になっている。
すなわち、中間部27は後部21に対向する側22が前部として作られ、中間部27と対向する側23が後部として作られる。同様に、中間部28は中間部27と対向する側24が前部として作られ、この前部に対向する側25が後部として作られる。すなわち、この器具は３対の保持手段２１／２２、23／24、25／26を有している。これらの保持手段の形状および機能は第１および第２の保持手段１および２と基本的に同じであるので、その詳細は省略する。
図13、14に示す保持具は単一ブロックであり、その長さは約10ｃｍ、幅は前部の所で６ｃｍ、後部の所で６ｃｍでであり、高さは前部の所で６ｃｍ、後部の所で４ｃｍである。
本発明の器具は業務、勉強、趣味で紙に記載された資料（テキスト、図面、絵、写真）を簡単に見る必要のある使用者にとって特に有用である。本発明器具は種々の材料、例えばクリスタル、アルミ鋳造品、青銅、ステンレス、紙パルプ（着色可）および木で作ることができる。軽量版の場合にはＡＢＳを始めとする他のプラスチック材料、特にポリプロピレンで作ることができる。
鋳造製品以外の器具の場合には、第１と第２の保持手段の間の空間は放電加工、その他の適当な研削加工で形成することができる。
請求の範囲のに記載の参照記号は本発明の理解を助けるためのものにすぎず、本発明がそれに限定されるものではない。
【図１】
0003981933.tif 000002
【図２】
0003981933.tif 000003
【図３】
0003981933.tif 000004
【図４】
0003981933.tif 000005
【図５】
0003981933.tif 000006
【図６】
0003981933.tif 000007
【図７】
0003981933.tif 000008
【図８】
0003981933.tif 000009
【図９】
0003981933.tif 000010
【図１０】
0003981933.tif 000011
【図１１】
0003981933.tif 000012
【図１２】
0003981933.tif 000013
【図１３】
0003981933.tif 000014
【図１４】
0003981933.tif 000015
【図１５】
0003981933.tif 000016